(57)【要約】【課題】不使用時には造花を収納しておくことができ、造花の露見及び収納も即座に行うことができるようにするとともに衆人の興味も引くことのできるる造花用花立てを提供する。【解決手段】造花Ｆをその下方で保持する保持体２と、この保持体２に保持された造花Ｆを収容する上部に蓋３１を有した筒状の収容覆体３とを具えて成り、例えば前記保持体２は、前記収容覆体３内を昇降自在とされるとともに、前記保持体２を造花Ｆが収容覆体３上方に出現した状態で係止する係止フック等の係止手段を具えることを特徴とする。【選択図】      図１
2004298393.tif 000002
【特許請求の範囲】
【請求項１】
造花をその下方で保持する保持体と、この保持体に保持された造花を収容する上部に蓋を有した収容覆体とを具えて成り、使用時にはこの収容覆体が収容状態を解除されて造花が露見された状態として使用されることを特徴とする造花用花立て。
【請求項２】
造花をその下方で保持する保持体と、この保持体に保持された造花を収容する上部に蓋を有した筒状の収容覆体とを具えて成り、前記保持体は、前記収容覆体内を昇降自在とされるとともに、前記保持体を造花が収容覆体上方に出現した状態で係止する係止手段を具えることを特徴とする造花用花立て。
【請求項３】
前記係止手段は、前記保持体に設けられた係止フックを、造花が収容覆体上方に出現した状態で、収容覆体上縁に掛け止めするものであることを特徴とする請求項２記載の造花用花立て。
【請求項４】
前記蓋に紐体が接続されており、これが前記保持体の係止フックの先端に接続されており、蓋を開けると同時に紐体により前記保持体を持ち上げ、収容覆体上に造花を出現させるとともに、収容覆体上縁にフックを掛け止めすることを特徴とする請求項３記載の造花用花立て。
【請求項５】
前記収容覆体には、蓋置部が設けられていることを特徴とする請求項２、３または４記載の造花用花立て。
【請求項６】
前記収容覆体の底部に設置個所に穿孔された設置孔に挿入される嵌込片が着脱自在に設けられていることを特徴とする請求項１、２、３、４または５記載の造花用花立て。
【請求項７】
墓用の花立てであることを特徴とする請求項１、２、３、４、５または６記載の造花用花立て。
【発明の詳細な説明】
【０００１】
【発明の属する技術分野】
本発明は造花用の花立てに関するものであり、特に不使用時には造花を収納しておくことのできる花立てに係るものである。
【０００２】
【発明の背景】
例えば墓参時には、墓碑に生花を供えて先祖の供養をすることが行われている。この際墓参者が遠隔地に居住する際には、一旦供えた花を後日挿し替えたり、取り去ったりすることができず、いわば放置されることとなり、これに伴う不都合も指摘されてきている。すなわち生花の場合はいわゆる日持ちしても数日の間に過ぎず、その後は墓苑の管理者等が、処理せざるを得ず、また一方その手間を供し得ない場合には、放置されて腐敗し、これに伴う環境悪化をもたらしていた。また生花が取り除かれていたとしても花立てには雨水等が溜まってしまうことは避けられず、害虫等の発生場所ともなり、この点でも環境悪化をもたらすものである。
【０００３】
このようなことから墓苑、寺等では生花による献花の場合には、その持ち帰りを墓参者に求め、またそれができない場合には、生花に替えて造花による献花を勧める傾向となってきている。このような状況を反映し、造花を用いる献花に関する発明や考案も出願がなされている（例えば特許文献１及び特許文献２参照）。
これらの発明や考案によれば、造花を用いるものであるため、前記問題は防止できるものの、造花の風雨等による汚れや褪色、あるいは損傷等は避けられるものではなく、完全には満足のいく献花手段を提供しているとは言えなかった。
【０００４】
【特許文献１】
実用新案登録第３０５００６０号公報
【特許文献２】
特開２００２−１６１６５１公報
【０００５】
【開発を試みた技術的課題】
本発明はこのような背景からなされたものであって、従来の献花の主流である生花を用いることをやめて造花を用いることを前提とし、この造花を不要時には収容覆体内に収納しておけるようにし、更にこの造花の露見及び収納の作業も即座に行うことができるようにするとともに、催事場等のディスプレイとして用いた場合には衆人の興味も引くことのできる新規な造花用花立ての開発を試みたものである。
【０００６】
【課題を解決するための手段】
すなわち請求項１記載の造花用花立ては、造花をその下方で保持する保持体と、この保持体に保持された造花を収容する上部に蓋を有した収容覆体とを具えて成り、使用時にはこの収容覆体が収容状態を解除されて造花が露見された状態として使用されることを特徴として成るものである。
この発明によれば、造花の装飾作業と、収納作業が即座に行うことが可能であり、不使用時には造花を収容覆体内に収容しておけるため、常に造花を綺麗な状態に保つことができる。
【０００７】
また請求項２記載の造花用花立ては、造花をその下方で保持する保持体と、この保持体に保持された造花を収容する上部に蓋を有した筒状の収容覆体とを具えて成り、前記保持体は、前記収容覆体内を昇降自在とされるとともに、前記保持体を造花が収容覆体上方に出現した状態で係止する係止手段を具えることを特徴として成るものである。
この発明によれば、造花の装飾作業と、収納作業が即座に行うことが可能であり、不使用時には造花を収容覆体内に収容しておけるため、常に造花を綺麗な状態に保つことができる。また造花を収容していた収容覆体をそのままフラワースタンドとして使用できるため、観る者に対し、より綺麗で重厚な印象を与えることができる。
【０００８】
更に請求項３記載の造花用花立ては、前記請求項２記載の要件に加え、前記係止手段は、前記保持体に設けられた係止フックを、造花が収容覆体上方に出現した状態で、収容覆体上縁に掛け止めするものであることを特徴として成るものである。
この発明によれば、簡単な構造であるため、製造コストを安く抑えることができるとともに、故障等も生じにくい。
【０００９】
更にまた請求項４記載の造花用花立ては、前記請求項３記載の要件に加え、前記蓋に紐体が接続されており、これが前記保持体の係止フックの先端に接続されており、蓋を開けると同時に紐体により前記保持体を持ち上げ、収容覆体上に造花を出現させるとともに、収容覆体上縁にフックを掛け止めすることを特徴として成るものである。
この発明によれば、ほんのわずかの間に造花のセット及び収納が可能となる。
【００１０】
更にまた請求項５記載の造花用花立ては、前記請求項２、３または４記載の要件に加え、前記収容覆体には、蓋置部が設けられていることを特徴として成るものである。
この発明によれば、蓋の置き場所に困ったり、紛失することが防止される。
【００１１】
更にまた請求項６記載の造花用花立ては、前記請求項１、２、３、４または５記載の要件に加え、前記収容覆体の底部に設置個所に穿孔された設置孔に挿入される嵌込片が着脱自在に設けられていることを特徴として成るものである。
この発明によれば、風や鳥などが止まることにより造花用花立てが、倒されたりすることがない。
【００１２】
更にまた請求項７記載の造花用花立ては、前記請求項１、２、３、４、５または６記載の要件に加え、墓用の花立てであることを特徴として成るものである。
この発明によれば、墓への献花は献花した後、後始末されることが少ないため、本発明の効果が顕著となるものであり、墓地近隣での献花を原因とする公害が防がれるとともに、風雨等による造花の汚れや褪色あるいは損傷も防止される。
【００１３】
【発明の実施の形態】
以下本発明を図示の実施の形態に基づき説明する。本実施の形態では、本発明に係る造花用花立てを墓地におけるお供えの花用として用いるものであるが、その他、宴会場、葬祭場やその他種々の店先等に設置するようにしてもよい。
具体的には本発明に係る造花用花立て１を墓石上に設けるものであり、一例として図示される墓Ｇは二段の台上に石塔Ｇ１が設けられた構成をしている。図１中、１Ａと１Ｂで示すものが、本発明に係る造花用花立てであり、墓Ｇの下台Ｇ３に設けられた造花用花立て１は、大サイズの造花用花立て１Ａであり、上台Ｇ２に設けられた造花用花立て１は、小サイズの造花用花立て１Ｂである。なお本実施の形態ではこの大サイズの造花用花立て１Ａと、小サイズの造花用花立て１Ｂとはサイズ以外は共通の構成を有しており、特に区別して説明しないときには、単に造花用花立て１と符号１を付して説明する。
【００１４】
以下、造花用花立て１Ａ、１Ｂについて共通の説明を行う。このものは、造花Ｆをその下端で保持する保持体２と、この保持体２に保持された造花Ｆを収容する上部に蓋３１を有した円筒形の収容覆体３とから成り、前記保持体２は、前記収容覆体３内を昇降自在とされるとともに、前記保持体２を造花Ｆが収容覆体３上方に出現した状態で係止する係止手段を具えて成る。なお本実施の形態では、防錆性を有するステンレスでほぼ全体が形成されるものであるが、その他プラスチック、ガラス、陶器または木材等適宜の素材のものを用いて構成できるが、防水性及び防錆性を有するものが望ましい。
【００１５】
前記保持体２について説明する。保持体２は、図３（ａ）に示されるように、ほぼ前記収容覆体３の内径を有する円筒形の基部２０と、この上部中央に設けられる挿入筒２１とを主要部材として具えて成る。挿入筒２１内には、造花Ｆの下端を留めるための押圧板２２が設けられるとともに、この押圧板２２を挿入筒２１中心側へ移動させる止めネジ２３が設けられている。また基部２０の上面には、この保持体２を収容覆体３上端に係止するための係止フック２４が回動自在に設けられている。
【００１６】
前記収容覆体３について説明する。このものは円筒形の筒状本体３０と、この筒状本体３０の下端に設けられる設置基体３３と、前記筒状本体３０の上端に設けられる蓋３１と、この蓋３１と保持体２とを接続する一例として金属製チェーンを適用した紐体３２とから成る。なおもちろん紐体３２としてはナイロン、革及び木綿等種々の材料を適用し得る。
【００１７】
前記設置基体３３は、図３（ｂ）に示されるように、円形の底板３４とこの上面に設けられる受入筒３５とから成り、この受入筒３５内に前記筒状本体３０が挿入されて固定ネジ３５ａにより固定される。また受入筒３５の下端には、半円形の水抜孔３５ｂが穿孔されており、造花用花立て１の使用時や非使用時であっても強い風雨の際に、蓋３１と筒状本体３０との隙間から収容覆体３内に雨が入った場合において、この水抜孔３５ｂから排水がされるように構成されている。
また底板３４上面には、蓋置部３６が設けられている。なおこの蓋置部３６及び蓋３１には適宜家紋等の装飾が適宜施されることも好ましく、本実施の形態ではそれぞれに家紋の柄が印刷された貼着体である家紋シールＳが貼り付けられている。なおこの載置部３６は、固定状態に設けられてもよいし、図３（ｃ）に示されるように傾倒自在に底板３４上に設け、墓参りを行う者から家紋が見えやすいように構成することも可能である。
【００１８】
また更に底板３４には、周面に三カ所の設置孔３４ａが設けられ、中心に嵌込片３７を取り付けるための雌ネジを切った取付孔３４ｂが穿孔されている。なお嵌込片３７は、一例として設置面にこの嵌込片３７を挿入する設置孔Ｇ４を穿孔し、ここに嵌込片３７を挿入して強固に固定するためのものであり、上部中心に前記取付孔３４ｂに螺合させる雄ネジ３７ａが形成されている。因みに本実施の形態では、上台Ｇ２の造花用花立て１Ｂは、この嵌込片３７を用いて固定しており、下台Ｇ３の造花用花立て１Ａは、この嵌込片３７を用いずに図２（ｂ）（ｃ）に示されるように固定ピンＰを用いて固定している。
【００１９】
なお下台Ｇ３の造花用花立て１Ａは、例えば下台Ｇ３が土面や小石敷きとされる場合も多く、固定ピンＰが抜けてしまうことも想定されるため、この場合には、上記固定ピンＰに加え、図１１に示すようなアンカーロッド４０を用いるようにしてもよい。このアンカーロッド４０を用いて設置固定するにあたっては、アンカーロッド４０上端の雄ネジ４０ａを底板３４の設置孔３４ａに螺合して取り付け、適宜設置基体３３を足で踏みつけるなどして上方から押し込み、底板３４の下面が設置面に当接するまでアンカーロッド４０を埋め込む。なお符号４０ｂで示す部材はアンカーロッド４０をより強固に固定するため一例として設けられた抜け止め片４０ｂである。そしてその後固定ピンＰを金槌等を用いて埋め込み、固定を行う。
以上のようにアンカーロッド４０を用いた場合、小石敷きや軟弱な地盤の個所にも強固な設置固定が行い得るようになる。
【００２０】
また前記蓋３１は、筒状本体３０の上端に嵌まる円形のもので、周縁一か所に切欠溝３１ａを有し、これを前記筒状本体３０の上端部に設けられた固定ネジ３０ａに嵌め入れてこの固定ネジ３０ａを閉めつけることにより固定する。
【００２１】
なお収容覆体３は、青竹等の装飾を施しておいてもよいし、透明の強化ガラスやプラスチックを用いて形成することにより造花Ｆの収容時にもこの造花Ｆを外部に見せるようにしてもよい。この場合には例えば店舗のディスプレイなどとして用いれば、衆人の興味を引くことも可能である。もちろんこのようなディスプレイとして用いる場合には、図６に示されるように収容覆体３外面にＬＥＤ３０ｃなどのライトを設け、適宜のパターンで光らせるような構成でも提供することが可能である。
【００２２】
本発明の造花用花立ての一例は以上のような具体的形態を有するものであって、以下この使用態様について説明する。
まず使用されていない状態では、図２（ａ）に示されるように保持体２が収容覆体３の底部に位置し、造花Ｆは収容体内に納まり、蓋３１が閉じられた状態である。この状態では雨、風等で造花Ｆが汚れたり、損傷することが防止される。
【００２３】
次にこれを墓参りに来た者が使用する際には、図２（ｂ）に示されるように、筒状本体３０上部の固定ネジ３０ａを緩め、蓋３１の固定を解除して蓋３１を上方に持ち上げる。蓋３１とともにそれに接続された保持体２が筒状本体３０内を上昇し、造花Ｆが筒状本体３０上に出現してくる。保持体２は固定ネジ３０ａがストッパの役割を果たし、ここで停止され、この位置で紐体３２を張った状態で下方へ蓋３１を降ろすと、係止フック２４が筒状本体３０上端に掛け止めされる（図２（ｃ）参照）。この状態では造花Ｆのみ筒状本体３０上に出現した状態となっており、ちょうど筒状本体３０はフラワースタンドの役割を果している。そして蓋３１は蓋置部３６に載置する。
【００２４】
また墓参りが終了した後には、造花Ｆが筒状本体３０内に収容された状態に戻すものである。もちろんこの造花用花立て１の設置者がこの墓Ｇのすぐそばに居住しているのであれば、常時は造花を露見させて墓を飾っておき、荒天時のときにだけ来て、造花Ｆを筒状本体３０内に収容するような使用態様を採ることもできる。
収容するにあたっては、まず蓋３１を持ってやや保持体２を持ち上げる。このとき係止フック２４の先端は図３（ａ）に示すように上方に引き上げられると共に、筒状本体３０の中心側に逃げるようにわずかに回動し、筒状本体３０の上端から外れる。保持体２は、筒状本体３０内を下降し、収容覆体３の底部に位置するとともに、造花Ｆは収容覆体３内に納まる。そして蓋３１の切欠溝３１ａを固定ネジ３０ａに合わせて差し込み、固定ネジ３０ａを締め付けると蓋３１が筒状本体３０に固定される。なお切欠溝３１ａを固定ネジ３０ａに合わせて差し込む際に、蓋３１を筒状本体３０上部に載せ、ゆっくりと回転させれば切欠溝３１ａが固定ネジ３０ａの位置に合って嵌まるものである。
【００２５】
【他の実施の形態】
本発明の基本的な実施の形態は以上のようであるが、その他種々の改変が行い得る。
すなわち前記基本的な実施の形態では、筒状本体３０を造花Ｆを出現させない時（不使用時）には造花Ｆの収容ケースとして用い、造花Ｆを出現させる時（使用時）には、造花Ｆのスタンドとして用いるものであったが、図４に示されるように造花Ｆを出現させる時（使用時）に筒状本体３０を除去するようにしても構わない。このように構成を改変した場合には、造花Ｆの設置位置を低くできるというメリットがある。
以下図４に基づき詳細に説明すると、図４に示す造花用花立て１Ｃは、前記基本的な実施の形態と同様に、造花Ｆを造花Ｆの下端で保持する保持体２と、この保持体２に保持された造花Ｆを収容する上部に蓋３１を有した収容覆体３とから成る。
【００２６】
前記保持体２について説明する。保持体２は、図４（ｃ）に示されるように、前記収容覆体３の内径を有する円柱形の基部２０と、この上部中央に設けられる挿入筒２１とを中心部材として具えて成る。そして前記実施の形態と同様に挿入筒２１内には、造花Ｆを留めるための押圧板２２が設けられ、これを移動させる止めネジ２３が設けられている。また本実施の形態の特徴として、係止フック２４は有さず、受入筒３５の固定ネジ３５ａとバヨネット係合するための逆Ｌ字形の係止溝２０ａが保持体２に形成されている。
【００２７】
次に前記収容覆体３について説明する。このものは円筒形の筒状本体３０と、この筒状本体３０の下端に設けられる設置基体３３と、前記筒状本体３０の上端に設けられる蓋３１とを具えて成る。
【００２８】
前記設置基体３３は、図４（ｃ）に示されるように、円形の底板３４とこの上面に設けられる受入筒３５とから成り、この受入筒３５に前記筒状本体３０の下端が、下端に設けられた係止溝３０ｂの個所で外嵌めされて固定ネジ３５ａによりこの筒状本体３０が固定される。また蓋３１にはチェーンの一端が接続され、他端が前記受入筒３５の固定ネジ３５ａの個所に連結板３２ａを介して接続される。また更に底板３４には、中心に嵌込片３７を取り付けるための取付孔３４ｂが穿孔されている。もちろん前記底板３４には、前記基本的な実施の形態と同様に周面に三カ所の設置孔３４ａを設けるようにし、設置孔３４ａでの固定と嵌込片３７との固定とのどちらかを選択できるようにしてもよい。
【００２９】
以下上述したように改変した造花用花立て１Ｃの使用態様について説明する。
まず不使用時には、図４（ａ）に示されるように収容覆体３内に、保持体２及びこれに支持される造花Ｆは収容された状態で、蓋３１が閉じられた状態である。なお造花用花立て１Ｃの設置態様としては、例えば設置基体３３の底板３４の下面に嵌込片３７が取り付けられ、墓Ｇの設置孔Ｇ４に挿入固定された状態である。また受入筒３５の固定ネジ３５ａに、保持体２の係止溝２０ａが挿入され、受入筒３５に対し保持体２は、ロックされた状態である。
【００３０】
そして使用する際には、図４（ｂ）（ｃ）に示されるようにまず蓋３１を取り外し、設置基体３３の固定ネジ３５ａを緩めて筒状本体３０を手で持って引き上げ、設置基体３３から取り外す。そして再度固定ネジ３５ａを締め付けておく。このように簡単に造花Ｆを出現、セットすることが可能である。
【００３１】
また造花用花立て１Ｃを使用後に、造花Ｆを収納する際には、造花Ｆを支持した保持体２を、図５（ａ）の矢印方向に回転させてロックを解除した状態で持ち上げて、受入筒３５内から取り出す。
【００３２】
次に造花Ｆを支持した保持体２を、図５（ｂ）に示されるように筒状本体３０の上端から挿入して適宜振り下ろしたり、下方へ押し込むなどして、保持体２を筒状本体３０の下方へ移動し、一度、図５（ｃ）に示されるように保持体２を筒状本体３０の下端から露見させる。
【００３３】
そして図５（ｃ）に示されるように造花Ｆを支持した保持体２を、係止溝２０ａを受入筒３５の固定ネジ３５ａの個所に合わせて受入筒３５内に内嵌めし、図中矢印方向に回転させて外れないようにロックする。
【００３４】
次に筒状本体３０を設置基体３３の受入筒３５に、下端の切欠溝３０ｂを固定ネジ３５ａの個所に位置させて外嵌めし、固定ネジ３５ａにて締結固定し、蓋３１をすると、造花Ｆの収容が完了する（図５ｄ参照）。
【００３５】
また収容覆体３の収容状態を解除して造花Ｆを露見される手段としては、図７に示されるように筒状本体３０を入れ子状に連接して伸縮自在な構成としておくことが可能である。このものは図７（ａ）に示されるように不使用時には筒状本体３０を伸張させた状態としておき、使用時には、図７（ｂ）に示されるように筒状本体３０を収縮して使用するものである。
【００３６】
また更に、その他の収容覆体３の収容状態を解除して造花Ｆを露見される手段としては、図８に示されるように、筒状本体３０を二分割に構成しておき、これを端辺において底板３４に立ち上げられた支柱３８に回動自在に取り付け、閉鎖及び開放が自在に行えるように構成してもよい。
【００３７】
また更に、その他の収容覆体３の収容状態を解除して造花Ｆを露見される手段としては、図９（ａ）（ｂ）に示されるように、筒状本体３０をいわゆる伸縮自在なアコーディオンカーテンで構成しておき、これを閉鎖及び開放が自在に行えるように構成してもよい。図９に示される造花用花立て１Ｆは、上端が蓋３１に設けられたレールを摺動し、下端が設置基体３３に設けられたレールを摺動する骨材３９Ａを複数設け、これに防水シート３９Ｂを張設した充分に耐候性を有する収容覆体３を適用するようにしたものである。なお符号３８は、蓋３１と設置基体３３を連結する支柱である。
なお図示されるようなアコーディオンカーテン式の防水シートのほか、多数のスラット連結してたわみ性をもたせたいわゆるシャッタを適用することも可能である。
【００３８】
造花用花立ての全体形状としては、以上示したような実施の形態のような全体として円柱形のもののほか、図１０に示されるように平面視で半円形ないしは、かまぼこ型（図１０（ａ）参照）、楕円形状（図１０（ｂ）参照）及び多角形状（図１０（ｃ）参照）等種々のもので実施が可能である。なおこの際、筒状本体３０に相当する周面を覆う部材の開閉手段としては、前述したように観音開き式やアコーディオンカーテン式、シャッタ式など種々の形態を採ることができる。
【００３９】
【発明の効果】
請求項１記載の造花用花立てによれば、造花Ｆをその下方で保持する保持体２と、この保持体２に保持された造花Ｆを収容する上部に蓋３１を有した収容覆体３とを具えて成り、使用時にはこの収容覆体３の収容状態が解除されて使用されるものであるため、造花Ｆの装飾作業と、収納作業が即座に行うことが可能である。そして不使用時には造花Ｆを収容覆体３内に収容しておけるため、常に造花Ｆを綺麗な状態に保つことができる。
【００４０】
また請求項２記載の造花用花立てによれば、造花Ｆをその下方で保持する保持体２と、この保持体２に保持された造花Ｆを収容する上部に蓋３１を有した筒状の収容覆体３とを具えて成り、前記保持体２は、前記収容覆体３内を昇降自在とされるとともに、前記保持体２を造花Ｆが収容覆体３上方に出現した状態で係止する係止手段を具えるため、造花Ｆの装飾作業と、収納作業が即座に行うことが可能である。そして不使用時には造花Ｆを収容覆体３内に収容しておけるため、常に造花Ｆを綺麗な状態に保つことができる。また造花Ｆを収容していた収容覆体３をそのままフラワースタンドとして使用できるため、観る者に対し、より綺麗で重厚な印象を与えることができる。
【００４１】
更に請求項３記載の造花用花立てによれば、係止手段は、保持体２に設けられた係止フック２４を、造花Ｆが収容覆体３上方に出現した状態で、収容覆体３上縁に掛け止めするものであるため、簡単な構造であり、製造コストを安く抑えることができるとともに、故障等も生じにくい。
【００４２】
更にまた請求項４記載の造花用花立てによれば、蓋３１に紐体３２が接続されており、これが前記保持体２の係止フック２４の先端に接続されており、蓋３１を開けると同時に紐体３２により前記保持体２を持ち上げ、収容覆体３上に造花Ｆを出現させるとともに、収容覆体３上縁にフックを掛け止めすることを特徴として成るものである。
この発明によれば、ほんの瞬間の間に造花Ｆのセット及び収納が可能となる。
【００４３】
更にまた請求項５記載の造花用花立てによれば、収容覆体３には、蓋置部３６が設けられているため、蓋３１の置き場所に困ったり、紛失することが防止される。
【００４４】
更にまた請求項６記載の造花用花立てによれば、収容覆体３の底部に設置個所に穿孔された設置孔Ｇ４に挿入される嵌込片３７が着脱自在に設けられているため、風や鳥などによって造花用花立て１が、倒されたりすることがない。
【００４５】
更にまた請求項７記載の造花用花立てによれば、墓Ｇへの献花は献花した後、後始末されることが少ないため、本発明の効果が顕著となるものであり、墓地近隣での献花を原因とする公害が防がれるとともに、風雨等による造花の汚れや褪色あるいは損傷も防止される。
【図面の簡単な説明】
【図１】本発明の造花用花立てを墓苑に用いた実施の形態を示す斜視図である。
【図２】本発明の造花用花立ての造花を露見させる手順を段階的に示す斜視図である。
【図３】保持体と設置基体付近を拡大して示す斜視図並びに設置基体付近の断面図である。
【図４】使用時に筒状本体を除去するタイプの造花用花立ての他の実施の形態であり、この使用時の手順を示す斜視図である。
【図５】同上収容時の手順を示す斜視図である。
【図６】筒状本体周囲にＬＥＤライトを複数設けた他の実施の形態を示す斜視図である。
【図７】筒状本体を入れ子状に連接して伸縮自在な構成とした他の実施の形態を示す説明図である。
【図８】筒状本体を二分割に構成し、開閉自在な構成とした他の実施の形態を示す斜視図である。
【図９】筒状本体を伸縮自在なアコーディオンカーテン状に形成した他の実施の形態を示す斜視図である。
【図１０】造花用花立ての全体形状を異ならせた他の三種の実施の形態を示す平面図である。
【図１１】設置基体の設置をアンカーロッドと固定ピンとで行う他の実施の形態を示す断面図である。
【符号の説明】
１、１Ａ、１Ｂ、１Ｃ、１Ｄ、１Ｅ  造花用花立て
２      保持体
２０    基部
２０ａ  係止溝
２１    挿入筒
２２    押圧板
２３    止めネジ
２４    係止フック
３      収容覆体
３０    筒状本体
３０ａ  固定ネジ
３０ｂ  切欠溝
３０ｃ  ＬＥＤ
３１    蓋
３１ａ  切欠溝
３２    紐体
３２ａ  連結板
３３    設置基体
３４    底板
３４ａ  設置孔
３４ｂ  取付孔
３５    受入筒
３５ａ  固定ネジ
３５ｂ  水抜孔
３６    蓋置部
３７    嵌込片
３７ａ  雄ネジ
３８    支柱
３９Ａ  骨材
３９Ｂ  防水シート
４０    アンカーロッド
４０ａ  雄ネジ
４０ｂ  抜け止め片
Ｆ      造花
Ｇ      墓
Ｇ１    石塔
Ｇ２    上台
Ｇ３    下台
Ｇ４    設置孔
Ｐ      固定ピン
Ｓ      家紋シール
【図１】
2004298393.tif 000003
【図２】
2004298393.tif 000004
【図３】
2004298393.tif 000005
【図４】
2004298393.tif 000006
【図５】
2004298393.tif 000007
【図６】
2004298393.tif 000008
【図７】
2004298393.tif 000009
【図８】
2004298393.tif 000010
【図９】
2004298393.tif 000011
【図１０】
2004298393.tif 000012
【図１１】
2004298393.tif 000013